(57)【要約】  【課題】  被写体上の測定点を容易に指定することができる操作性のよい被写体距離測定表示装置、および、それを備えた携帯端末装置を提供すること。  【解決手段】  画像表示部の表示画面Ｇの略中央に表示される測距枠Ｗ内に、被写体の第１の測定点が入るように撮像部の向きを調整した状態で、シャッターを半押しする。次に、測距枠Ｗ内に、被写体の第２の測定点が入るように撮像部の向きを調整した状態で、シャッターを半押しする。これにより、２つの測定点が指定され、２点間の距離が求められる。撮像画像に２点を示す矢印Ｙと２点間の距離Ｄが合成されて表示される。【選択図】  図１
2005156356.tif 000002
【特許請求の範囲】
【請求項１】
撮像画像を表示する画像表示部と、
前記画像表示部の特定位置に表示される被写体までの距離を測定して被写体距離データを出力する被写体距離測定部と、
前記撮像画像の撮像方向を検出して撮像方向データを出力する撮像方向検出部と、
第１の指定操作がなされたときに、前記被写体距離データと前記撮像方向データとを含むデータを、そのとき前記画像表示部の前記特定位置に表示されている第１地点の測定データとして取得するとともに、第２の指定操作がなされたときに、前記被写体距離データと前記撮像方向データとを含むデータを、そのとき前記画像表示部の前記特定位置に表示されている第２地点の測定データとして取得する測定点データ取得部と、
前記第１地点の測定データと前記第２地点の測定データとに基づいて、前記第１地点と前記第２地点との間の距離を求める２点間距離演算部と、
前記２点間距離演算部で求めた前記第１地点と前記第２地点との間の距離を示す表示情報を前記撮像画像に合成する画像合成部と、
を備える被写体距離測定表示装置。
【請求項２】
請求項１記載の被写体距離測定表示装置であって、前記画像合成部は、前記撮像画像に、前記第１地点と前記第２地点とを示すマーク、および、前記第１地点と前記第２地点との間の距離の値を合成するものである被写体距離測定表示装置。
【請求項３】
請求項２記載の被写体距離測定表示装置であって、
前記測定点データ取得部は、前記第１地点の撮像画像および前記第２地点の撮像画像を取得し、
前記画像合成部は、前記撮像画像と、前記第１地点の撮像画像および前記第２地点の撮像画像とを比較し、前記第１地点の撮像画像および前記第２地点の撮像画像に対応する前記撮像画像の位置に、それぞれ前記第１地点を示すマークおよび前記第２地点を示すマークを合成して表示させるものである被写体距離測定表示装置。
【請求項４】
請求項１記載の被写体距離測定表示装置であって、前記画像合成部は、前記画像表示部に、前記第１地点の撮像画像と、前記第２地点の撮像画像と、前記第１地点と前記第２地点との間の距離を表示させるものである被写体距離測定表示装置。
【請求項５】
請求項１ないし４のいずれか一項記載の被写体距離測定表示装置であって、第１の指定動作および前記第２の指定動作は、シャッター操作部の半押し操作によってなされるものである被写体距離測定表示装置。
【請求項６】
請求項１ないし５のいずれか一項記載の被写体距離測定表示装置を備えた携帯端末装置。
【発明の詳細な説明】
【技術分野】
【０００１】
本発明は、被写体の距離を測定して表示する被写体距離測定表示装置および携帯端末装置に関する。
【背景技術】
【０００２】
従来のカメラ型の測距装置は、被写体に測距光を照射し、その反射光をＣＣＤで受光することにより、各画素に対応する被写体までの距離を受光量から検出している。図６に示すように、従来のカメラ型の測距装置は、撮影された画像をカメラ背面に設けられたＬＣＤ１３７に表示するもので、ＬＣＤ１３７にはタッチパネルが配設されており、ポインティングペン１６０で測定点に対応する画素を選択する。選択された画素に対応する距離から、その測定点のカメラを基準にした座標値を求める。目的とする測量値が例えば２つの測定点の間の斜距離であれば、２つの測定点をポインティングペン１６０で選択し、求められた各座標値から２点間の斜距離を算出する。算出された測定値をＬＣＤ１３７上に表示する（例えば、特許文献１参照）。
【０００３】
従来の寸法表示可能な電子スチルカメラシステムは、寸法測定位置可変素子により測定位置を選択するとその選択した位置に合焦するとともに輝点が表示される。被測定点を２つ選択した後、第２のレリーズボタンを押すことにより被測定点の間の寸法およびその区間を示すスケールのデータを算出しメモリ回路に記憶する（例えば、特許文献２参照）。
【０００４】
撮像時に表示される画像の大きさを比較表示またはスケール表示する機能を備えた従来のカメラ装置は、オートフォーカス動作により被写体を含む一定の範囲にピントが合わされ、液晶ディスプレイの画面上には被写体像とポイント（輝点）が表示される。カーソル移動用キーでポイントを被写体の測距始点に移動させ、シャッターを半押して、距離Ａを得て始点を固定する。再度、カーソル移動用キーでポイントを被写体の測距終点に移動させ、ポイントの移動ステップ数をカウントする。終点の指定が終ると、シャッターを全押して終点を固定する。ポイントの移動ステップ数を角度に換算して角度θを算出し、Ｌ＝Ａｔａｎθから長さＬを得て液晶ディスプレイにスケール値を重複表示する（例えば、特許文献３参照）。
【０００５】
また、一対の受光レンズによって被写体の像を各撮像センサ（センサアレイ）にそれぞれ結像させ、三角測距の原理に基づいて被写体距離を求めるようにした測距装置は、従来から知られている（例えば、特許文献４、５参照）。
【０００６】
また、携帯電話としての機能を備えたデジタル電子カメラは、従来から知られている（例えば、特許文献６参照）。
【０００７】
被写体上の２点間の距離を測定して表示する被写体距離測定表示装置を携帯機器として用いる場合、測定点の指定が容易にできるのが望ましい。しかしながら、上記従来の測距装置にあっては、被写体上の測定点を指定するためにポインティングペンを別途携帯するのは不便であるという事情があった。また、これらの測距装置を備えたカメラやカメラ付き携帯電話装置を手で持って被写体に向け、撮影すべき画像をファインダやＬＣＤモニタ画面等に表示させている状態で、寸法測定位置可変素子を操作して測定位置を指定したり、カーソル移動キーを操作して測定ポイントを指定したりするのは、その操作が面倒であるという事情があった。
【特許文献１】特開２００１−１２４５４４号公報
【特許文献２】特開平５−４５１２４号公報
【特許文献３】特開平１１−１０２００７号公報
【特許文献４】特開２００３−８４１９０号公報
【特許文献５】特開２００３−９８４２３号公報
【特許文献６】特開平１１−１３６５５４号公報
【発明の開示】
【発明が解決しようとする課題】
【０００８】
本発明は、上記従来の事情に鑑みてなされたものであって、被写体上の測定点を容易に指定することができる操作性のよい被写体距離測定表示装置、および、それを備えた携帯端末装置を提供することを目的とする。
【課題を解決するための手段】
【０００９】
本発明の被写体距離測定表示装置は、撮像画像を表示する画像表示部と、
前記画像表示部の特定位置に表示される被写体までの距離を測定して被写体距離データを出力する被写体距離測定部と、
前記撮像画像の撮像方向を検出して撮像方向データを出力する撮像方向検出部と、
第１の指定操作がなされたときに、前記被写体距離データと前記撮像方向データとを含むデータを、そのとき前記画像表示部の前記特定位置に表示されている第１地点の測定データとして取得するとともに、第２の指定操作がなされたときに、前記被写体距離データと前記撮像方向データとを含むデータを、そのとき前記画像表示部の前記特定位置に表示されている第２地点の測定データとして取得する測定点データ取得部と、
前記第１地点の測定データと前記第２地点の測定データとに基づいて、前記第１地点と前記第２地点との間の距離を求める２点間距離演算部と、
前記２点間距離演算部で求めた前記第１地点と前記第２地点との間の距離を示す表示情報を前記撮像画像に合成する画像合成部と、
を備える。
【００１０】
この構成により、被写体上の測定点を容易に指定することができ、操作性のよい被写体距離測定表示装置を提供することができる。
【００１１】
また、本発明の被写体距離測定表示装置は、前記画像合成部は、前記撮像画像に、前記第１地点と前記第２地点とを示すマーク、および、前記第１地点と前記第２地点との間の距離の値を合成するものである。
【００１２】
また、本発明の被写体距離測定表示装置は、前記測定点データ取得部は、前記第１地点の撮像画像および前記第２地点の撮像画像を取得し、
前記画像合成部は、前記撮像画像と、前記第１地点の撮像画像および前記第２地点の撮像画像とを比較し、前記第１地点の撮像画像および前記第２地点の撮像画像に対応する前記撮像画像の位置に、それぞれ前記第１地点を示すマークおよび前記第２地点を示すマークを合成して表示させるものである。
【００１３】
また、本発明の被写体距離測定表示装置は、前記画像合成部は、前記画像表示部に、前記第１地点の撮像画像と、前記第２地点の撮像画像と、前記第１地点と前記第２地点との間の距離を表示させるものである。
【００１４】
この構成により、使用者は、測定点を容易に認識することができる。
【００１５】
また、本発明の被写体距離測定表示装置は、第１の指定動作および前記第２の指定動作は、シャッター操作部の半押し操作によってなされるものである。
【００１６】
この構成により、測定点を指定するための操作部を専用に設ける必要がないので、装置の小型化を図ることができる。
【００１７】
本発明は、前記被写体距離測定表示装置を備えた携帯端末装置を提供する。
【００１８】
この構成により、被写体上の測定点を容易に指定することができ、携帯性および操作性のよい携帯端末装置を提供することができる。
【発明の効果】
【００１９】
本発明によれば、被写体上の測定点を容易に指定することができる操作性のよい被写体距離測定表示装置、および、それを備えた携帯端末装置を提供することができる。
【発明を実施するための最良の形態】
【００２０】
図１は、本発明の実施形態を説明するための被写体距離測定表示装置の概略構成を示すブロック図である。図１に示すように、本実施形態に係る被写体距離測定表示装置１は、撮像部１０と、被写体距離測定部２０と、撮像方向検出部３０と、データ記憶部４０と、２点間距離演算部５０と、画像合成部６０と、液晶表示装置等を含む画像表示部７０と、マイクロコンピュータシステム等を用いて構成された全体動作制御部８０と、シャッター操作部９０と、を備える。
【００２１】
撮像部１０は、撮像レンズ、レンズ駆動部、アイリス駆動部等を有する撮像光学系１１と、例えばＣＣＤイメージセンサ等の撮像素子１２と、撮像素子１２から撮像信号を読み出しＡ／Ｄ変換して撮像画像データを出力するＡ／Ｄ変換部１３等を備える。
【００２２】
被写体距離測定部２０は、撮像画像の所定位置、例えば中央に位置する被写体までの距離を測定して、被写体距離データを出力する。被写体距離測定部２０の構成として、例えば、一対の受光レンズと、一対の撮像センサ（例えばＣＣＤイメージセンサ等）と、Ａ／Ｄ変換器と、各撮像センサにそれぞれ結像された被写体のデジタル像の相対位置差から三角測距の原理により被写体距離を演算によって求める被写体距離演算手段と、求められた被写体距離のデータを出力する被写体距離データ出力手段等を備える。
【００２３】
なお、被写体距離測定部２０は、赤外線やレーザ光を間歇的に投光する手段と、被写体からの反射光を検出する撮像素子と、投光タイミングと反射光の検出タイミングとの時間差に基づいて被写体距離を検出する被写体距離検出手段とを備える構成としてもよい。また、被写体距離測定部２０は、赤外線やレーザ光を間歇的に投光する手段と、被写体からの反射光を検出する撮像素子と、反射光の光量に基づいて被写体距離を検出する被写体距離検出手段とを備える構成としてもよい。なお、被写体からの反射光を検出する撮像素子は、撮像部１０の撮像素子１２を用いるようにしてもよい。
【００２４】
撮像方向検出部３０は、ジャイロセンサ等の角速度センサ３１と、角速度センサ３１の出力に基づいて撮像方向の移動角度を積算し、撮像方向角度データを出力する角度演算部３２とを備える。なお、撮像方向検出部３０は、角速度センサ３１の他に、地磁気センサ等の絶対方位検出センサと、水平方向または鉛直方向を検出する基準方向検出センサとを備えて、角度演算部３２は、それら各センサの出力に基づいて撮像方向の方位データと仰角・伏角データとを含む撮像方向角度データを出力してもよい。
【００２５】
データ記憶部４０は、例えば半導体メモリ等を有して構成している。データ記憶部４０には、撮像画像データと撮像方向角度データとが格納される。撮像画像データには、通常の撮像データと測定点を指定した際の測定点撮像データとの２種類がある。
【００２６】
全体動作制御部８０は、測定点データ取得部８１と、撮像制御部８２と、表示制御部８３とを備える。撮像制御部８２は、シャッター操作部９０が操作されていない撮像待機状態では、撮像部１０から出力される撮像画像データを画像合成部６０を介して画像表示部７０へ供給して、撮像部１０で撮像した画像を画像表示部７０に表示させる。
【００２７】
撮像制御部８２は、シャッター操作部９０によってレリーズ操作（撮像操作）がなされると、撮像部１０から出力される撮像画像データを撮像順序との対応を付けてデータ記憶部４０に格納する。そして、撮像制御部８２は、データ記憶部４０に格納した撮像画像データを画像合成部６０を介して画像表示部７０に供給して、画像表示部７０に撮像画像を表示させる。
【００２８】
表示制御部８３は、図示しない操作部によって測距モードが設定されると、画像合成部６０によって測距枠を合成した画像を生成させ、撮像画像の中央位置の測距枠を備えた合成画像を画像表示部７０に表示させる。撮像部１０から出力される撮像画像データは画像合成部６０を介して画像表示部７０に供給されている。なお、シャッター操作部９０を短時間に数回操作することで測距モードに移行するようにしてもよい。また、シャッター操作部９０の半押し状態を数秒間継続すると測距モードに移行するようにしてもよい。
【００２９】
画像表示部７０の表示画面の中央位置に測距枠が表示された状態（すなわち測距モード）で、距離を測定したい第１の測定点（始点）が測距枠内に入るように撮像部１０の撮像方向を調節して、シャッター操作部９０を半押し状態に操作する。測定点データ取得部８１は、測距モードでシャッター操作部９０が半押し状態に操作されると、測定点撮像データとしての撮像画像データと被写体距離データと撮像方向角度データとを対応づけ、これらを第１の測定点（始点）の測定点データとしてデータ記憶部４０に格納する。
【００３０】
第１の測定点の指定後に一旦半押し状態を解除し、続いて距離を測定したい第２の測定点（終点）が測距枠内に入るように撮像部１０の撮像方向を調節して、シャッター操作部９０を半押し状態に操作する。測定点データ取得部８１は、測定点撮像データとしての撮像画像データと被写体距離データと撮像方向角度データとを対応つけ、これらを第２の測定点（終点）の測定点データとしてデータ記憶部４０に格納する。
【００３１】
ここで、シャッター操作部９０を半押し状態にして第１の測定点を指定した後そのまま半押し状態を維持し、その半押し状態を解除した地点を第２の測定点に指定するように、第１の測定点および第２の測定点を指定してもよい。
【００３２】
なお、表示制御部８３は、シャッター操作部９０の半押しによって測定点が指定されると、被写体距離測定部２０によって測定された測定点までの被写体距離データに基づいてその距離を画像表示部７０に表示させるようにしてもよい。これにより、例えばゴルフ場でピンまでの距離を測定して表示させることができる。
【００３３】
表示制御部８３は、第１の測定点（始点）および第２の測定点（終点）の指定がなされると、測距枠の表示を停止させる。全体動作制御部８０は、第１の測定点（始点）および第２の測定点（終点）の指定がなされると、２点間距離演算部５０を起動させるとともに、データ記憶部４０に格納されている第１および第２の点（始点および終点）の測定点データを２点間距離演算部５０に供給する。
【００３４】
２点間距離演算部５０は、第１の測定点（始点）までの被写体距離データと撮像角度データと、第２の測定点（終点）までの被写体距離データと撮像角度データとに基づいて、２点間（始点−終点間）の距離（斜距離）を演算によって求め、求めた２点間距離データを画像合成部６０内の距離表示手段６１に供給する。距離表示手段６１は、２点間距離データに基づいて２点間の距離を画像表示部７０に表示させる。
【００３５】
なお、距離表示手段６１は、先に撮像した画像に第１の測定点と第２の測定点とを結ぶ矢印等の表示を合成表示するとともに、その矢印の近傍に２点間の距離を表示させるようにしてもよい。
【００３６】
ここで、距離表示手段６１は、先に撮像した画像データと第１の測定点および第２の測定点の画像データとマッチングをとることで、先に撮像した画像中の第１の測定点および第２の測定点を検出し、それら２点を結ぶベクトルを求め、２点を結ぶ矢印等を表示させるようにしている。
【００３７】
たとえば、距離表示手段６１は、先に撮像した画像の輪郭線を抽出するとともに、第１の測定点および第２の測定点の各画像の輪郭線をそれぞれ抽出し、抽出した各輪郭線を比較・照合することで、先に撮像した画像中の第１の測定点および第２の測定点を検出し、それら２点を結ぶベクトルを求め、２点を結ぶ矢印等を表示させる。
【００３８】
なお、本実施形態に係る被写体距離測定表示装置１は、撮像画像中の２点間の距離を測定して表示するだけでなく、撮像画像中に入らない２点間の距離を測定して表示することができる。この場合、距離表示手段６１は、第１の測定点の縮小画像と第２の測定点の縮小画像とをそれぞれ形成し、それら２点の縮小画像を離間させて画像表示部７０に表示させるとともに、２点間の距離を表示させる。これにより、２点が１枚の撮像画像中に入らない場合でも、各測定点が何であるかを表示させることができる。
【００３９】
また、距離表示手段６１は、２点間を結ぶ矢印や線分を表示させるのではなく、各点を示すマークを表示させるようにしてもよい。また、各点までの距離（被写体距離）や角度を表示させるようにしてもよい。
【００４０】
図２は本発明の実施形態に係る被写体距離測定表示装置の動作を示すフローチャートである。シャッター押下の操作がなされると（ステップＳ１）、画像データの読み込み、距離測定、角度測定がなされ、画像データ、距離データ、角度データがデータ記憶部４０に格納され（ステップＳ２）、撮像画像の輪郭抽出がなされる（ステップＳ３）。なお、ステップＳ２では、距離測定および角度測定を行なわなくてもよい。
【００４１】
次に、ステップＳ４で、シャッターの半押下によって第１の測定点（始点）が測距枠に入るように撮像位置が調整された状態でシャッターが半押下されると（始点指定）、第１の測定点（始点）の画像データの読み込み、第１の測定点までの距離測定および角度測定がなされ（ステップＳ５）、第１の測定点（始点）の画像の輪郭抽出がなされる（ステップＳ６）。
【００４２】
次に、ステップＳ７で、第２の測定点（終点）が測距枠に入るように撮像位置が調整された状態でシャッターが半押下されると（終点指定）、第２の測定点（終点）の画像データの読み込み、第２の測定点までの距離測定および角度測定がなされ（ステップＳ８）、第２の測定点（終点）の画像の輪郭抽出がなされる（ステップＳ９）。
【００４３】
次に、第１の測定点（始点）と第２の測定点（終点）との２点間の距離が演算によって求められる（ステップＳ１０）。そして、ステップＳ３、ステップＳ６、ステップＳ９において抽出された輪郭線を比較・照合して、撮像画像中の第１の測定点（始点）と第２の測定点（終点）との位置が検出される（ステップＳ１１）。そして、撮像画像に、ステップＳ１１で検出された位置に基づいて２点間を結ぶ矢印等の線分と距離が合成された画像が生成され、画像表示部７０に表示される（ステップＳ１２）。
【００４４】
図３は本発明の実施形態に係る被写体距離測定表示装置の動作を示す説明図である。図３（ａ）は画像表示部の画面に表示された撮像画像を示す図、図３（ｂ）は第１の測定点の指定状態を示す図、図３（ｃ）は第２の測定点の指定状態を示す図、図３（ｄ）は２点間の距離測定結果の表示例を示す図である。なお、図中の符号Ｇは画像表示部７０の画面を示し、符号ＨおよびＶは画面上に表示された撮像の際の補助線を示し、符号Ｗは測距枠を示している。
【００４５】
図３（ａ）に示すように、撮像対象である被写体（ここでは家）が画面Ｇ内に収まるように撮像部１０の向きを調整した状態で、シャッターを押下することで、被写体（ここでは家）が撮像され、その撮像画像が画面Ｇ内に表示される。
【００４６】
測距モードを指定すると、図３（ｂ）に示すように、画面Ｇの中央に測距枠（ここでは四角のマーク）Ｗが表示されるので、被写体（ここでは家）の第１の測定点が測距枠（ここでは四角のマーク）Ｗ内にはいるように撮像部１０の向きを調整した状態で、シャッターを半押下することで、第１の測定点を含む被写体画像データがデータ記憶部４０に格納されるとともに、第１の測定点までの被写体距離データおよび角度データがデータ記憶部４０に格納される。
【００４７】
次に、図３（ｃ）に示すように、被写体（ここでは家）の第２の測定点が測距枠（ここでは四角のマーク）Ｗ内にはいるように撮像部１０の向きを調整した状態で、シャッターを半押下することで、第２の測定点を含む被写体画像データがデータ記憶部４０に格納されるとともに、第２の測定点までの被写体距離データおよび角度データがデータ記憶部４０に格納される。
【００４８】
第１および第２の測定点（すなわち始点と終点）が指定されると、２点間距離演算部５０によって２点間の距離が算出され、距離表示手段６１によって撮像画像中の２点の位置が検出され、図３（ｄ）に示すように、２点間を結ぶ矢印画像Ｙとともに２点間の距離Ｄが撮像画像に合成されて画面Ｇに表示される。
【００４９】
なお、図２および図３では、被写体を撮像した後に、各測定点を指定し、被写体の撮像画像に各測定点を結ぶ矢印等と２点間の距離を合成表示する例について説明したが、被写体を撮像することなく各測定点を指定して、それらの距離を表示させるようにしてもよい。
【００５０】
図４は本発明の実施形態に係る被写体距離測定表示装置の他の距離表示例を示す図である。図４（ａ）に示すように、測距枠Ｗ内の被写体の測定点がはいるように撮像部１０の向きを調整した状態で、シャッターを半押下することで、画面Ｇ上に被写体までの距離Ｄを表示させるようにしてもよい。また、被写体までの距離だけでなく、角度を含めて表示させるようにしてもよい。
【００５１】
第１の測定点と第２の測定点が離れており、画角との関係で２点を同時に撮影できないケースでは、図４（ｂ）に示すように、第１の測定点Ｐ１を含む第１の縮小画像Ｓ１と第２の測定点Ｐ２を含む第２の縮小画像Ｓ２とを離隔させて画面Ｇ内に表示させるとともに、各測定点Ｐ１，Ｐ２間の距離Ｄを表示させるようにしてもよい。
【００５２】
なお、本実施の形態では、各点（測定点）の指定をシャッター操作部９０の半押し操作によって行なう例を示したが、測定点を指定するためのキーやボタン等の専用操作部を設けるようにしてもよい。
【００５３】
図５は本発明の実施形態に係る携帯電話装置の概略構成を示すブロック図である。本発明の実施形態に係る携帯端末装置の一例としての携帯電話装置１００は、携帯電話装置本体部１１０と、本実施形態に係る被写体距離測定表示装置１Ａとからなる。本実施形態に係る携帯電話装置１００は、画像表示部７０を携帯電話装置１００の画像表示と被写体距離測定表示装置１Ａの画像表示とで共用している。
【００５４】
本実施形態に係る携帯電話装置１００は、本実施形態に係る被写体距離測定表示装置１Ａを備えているので、画像表示部７０に表示される測距枠Ｗ内に被写体の測定点を入るように撮像部１０の向きを調整し、その状態でシャッターを半押しすることで測定点を指定することができる。そして、２つの測定点を指定することで、２点間の距離が画像表示部７０に表示される。
【００５５】
本実施形態に係る携帯電話装置１００は、測定点を指定するために、ポインティングペン等を持ち歩く必要はない。また、測定点を指定するために、カーソル移動キー等を操作する必要もない。測定点が画像表示部７０に表示される測距枠Ｗ内に入るように撮像部１０の向き（携帯電話装置１００に内蔵されたデジタルカメラの撮像方向）を調整して、シャッターを半押しすることで測定点が指定できるので、携帯電話装置１００を手に持って撮像する状態で、測定点を容易に指定できる。
【００５６】
以上説明したように本実施形態に係る被写体距離測定表示装置およびそれを備えた携帯電話装置は、画像表示部の例えば中心に表示される測距枠内に測定したい点が撮像されるように撮像部の方向を定めた状態で、シャッターを半押しする等の測定点指定操作を行なうことで測定点を指定することができるので、測定点の指定を容易に行なうことができる。
【産業上の利用可能性】
【００５７】
本発明の被写体距離測定表示装置は、被写体上の測定点を容易に指定することができる効果を有し、携帯端末装置等に有用である。
【図面の簡単な説明】
【００５８】
【図１】本発明の実施形態を説明するための被写体距離測定表示装置の概略構成を示すブロック図
【図２】本発明の実施形態に係る被写体距離測定表示装置の動作を示すフローチャート
【図３】本発明の実施形態に係る被写体距離測定表示装置の動作を示す説明図
【図４】本発明の実施形態に係る被写体距離測定表示装置の他の距離表示例を示す図
【図５】本発明の実施形態に係る携帯電話装置の概略構成を示すブロック図
【図６】従来のカメラ型測距装置の測定点の指定方法を示す図
【符号の説明】
【００５９】
１，１Ａ  被写体距離測定表示装置
１０  撮像部
１１  撮像光学系
１２  撮像素子
１３  Ａ／Ｄ変換部
２０  被写体距離測定部
３０  撮像方向検出部
３１  角速度センサ
３２  角度演算部
４０  データ記憶部
５０  ２点間距離演算部
６０  画像合成部
６１  距離表示手段
７０  画像表示部
８０  全体動作制御部
８１  測定点データ取得部
８２  撮像制御部
８３  表示制御部
９０  シャッター操作部
１００  携帯電話装置
【図１】
2005156356.tif 000003
【図２】
2005156356.tif 000004
【図３】
2005156356.tif 000005
【図４】
2005156356.tif 000006
【図５】
2005156356.tif 000007
【図６】
2005156356.tif 000008